(57)【要約】【課題】  簡易な工程により両面にそれぞれ正像として識別される模様を形成することにより識別性や高級感の向上を図るパイル・ガーゼ多重織物を提供する。【解決手段】  パイルタオル生地からなる第１生地体２と、二重ガーゼタオル生地からなる第２生地体３と、重ね合わせ状態の第１生地体２と第２生地体３を内層において一体化する止め糸４とからなり、第１主面１Ａと第２主面１Ｂにそれぞれ正像として識別されるパイル模様とガーゼ模様を形成する。【選択図】図１
0003167663.tif 000002
【実用新案登録請求の範囲】
【請求項１】
地経糸と地緯糸により織布したタオル生地に第１パイル経糸と第２パイル経糸を選択的に打ち込んで第１模様を形成したパイルタオル生地からなり第１面を構成する第１生地体と、
地経糸と地緯糸にガーゼ織りを施して織布した第１のガーゼ生地と第２のガーゼ生地を表裏に選択的に交錯させることにより第２模様を形成した二重ガーゼ生地からなり第２面を構成する第２生地体と、
重ね合わせ状態で織布される上記第１生地体と上記第２生地体を内層において一体化する止め糸
とからなるパイル・ガーゼ多重織物。
【請求項２】
上記第１生地体は、異なる色の上記第１パイル経糸と上記第２パイル経糸が用いられて色柄模様からなる上記第１模様を形成した毛違いパイル生地からなり、
上記第２生地体は、上記第１のガーゼ生地と上記第２のガーゼ生地が、それぞれ色違いの地経糸と地緯糸によりガーゼ織りされ、表裏に選択的に交錯させることにより色柄模様からなる上記第２模様を形成した二重ガーゼ生地からなる
請求項１に記載のパイル・ガーゼ多重織物。
【請求項３】
上記第１生地体に形成される上記第１図柄は、上記第１生地体の表面から正像として識別される図柄であり、
上記第２生地体に形成される上記第２図柄も、上記第２生地体の表面から正像として識別される図柄である
請求項１又は請求項２に記載のパイル・ガーゼ多重織物。
【考案の詳細な説明】
【技術分野】
【０００１】
本考案は、パイル生地とガーゼ生地とを一体化してなるパイル・ガーゼ多重織物に関する。
【背景技術】
【０００２】
タオル生地としては、パイルタオル生地やガーゼタオル生地等が提供されており、用途に応じて所定の大きさに裁断した後に外周部位等に絡げ処理を施してフェイスタオル、ハンドタオル、マフラータオル、スポーツタオル或いはバスタオル等の各種タオル製品を製造する。パイルタオル生地は、一般に低速の第１ビームから送り出す地経糸と高速の第２ビームから送り出すパイル経糸とに対して地緯糸を筬打ちし、地経糸と地緯糸で織布した素地の片面或いは両面にパイル経糸によりパイルを織成する。パイルタオル生地は、しっかりとしたタオル生地の表面にパイルを形成したことにより、腰が強く、パイルにより独特のフワフワ感による肌触りが良い感触、良好な吸水性や通気性或いは保温性や乾燥性がよいといった特徴を有している。
【０００３】
ガーゼタオル生地は、甘撚りの地経糸と地緯糸を粗く織った織り目が大きな生地であり、上述したパイルタオル生地よりもさらにふんわりと柔らかく、肌触りや通気性がよいといった特性を有している。ガーゼタオル生地も、パイルタオル生地と同様に各種タオル製品や乳幼児等の衣服等、様々な製品に用いられているが、腰が弱いことから用途にある程度の制限がある。
【０００４】
タオル生地には、上述したパイルタオル生地とガーゼタオル生地を重ね合わせた多重織物も提供されている。かかる多重織物は、それぞれの生地の特徴を有して独自の風合いがある。多重織物については、例えば特許文献１或いは特許文献２に記載されている。
【先行技術文献】
【特許文献】
【０００５】
【特許文献１】特開平１１−３５０３００号公報
【特許文献２】特開２０００−２２００５８公報
【考案の概要】
【考案が解決しようとする課題】
【０００６】
ところで、タオル製品は、ロゴ等の文字列や数字列からなる名入れ或いは各種の図柄や紋様等を形成し、また適宜の色柄で形成することにより、高級感や識別性の向上を図っている。パイルタオル生地は、これらの模様等を例えばプリント法や刺繍法或いは各種織り等によって形成する。
【０００７】
一方、ガーゼタオル生地は、一般に無地で織布され、模様等についてプリントにより形成していた。ガーゼタオル生地は、模様等について例えば二重ガーゼ織り、平織り朱子或いは斜紋織り等の特殊織りにより形成することも行われている。
【０００８】
多重織物は、上述したように織りを異にするパイルタオル生地とガーゼタオル生地を重ね合わせ状態で織布するために面倒かつ複雑な織り方が必要であった。多重織物は、パイルタオル生地側に凹凸模様や色柄模様を形成するが、ガーゼタオル生地側に凹凸模様や色柄模様を形成することが困難である。したがって、多重織物は、全体の高級感が損なわれてしまうといった問題があった。
【０００９】
したがって、本考案は、パイルタオル生地とガーゼタオル生地を重ね合わせて一体化したパイル・ガーゼ多重織物において、簡易な工程により両面に凹凸模様や色柄模様を形成することにより識別性や高級感の向上を図るパイル・ガーゼ多重織物を提供することを目的とする。
【課題を解決するための手段】
【００１０】
上述した目的を達成する本考案にかかるパイル・ガーゼ多重織物は、パイルタオル生地からなる第１生地体と、二重ガーゼタオル生地からなる第２生地体と、重ね合わせ状態の第１生地体と第２生地体を内層において一体化する止め糸とからなる。パイル・ガーゼ多重織物は、第１生地体が、地経糸と地緯糸を織布したタオル生地に第１パイル経糸と第２パイル経糸を選択的に打ち込んで第１模様を形成してなる。パイル・ガーゼ多重織物は、第２生地体が、地経糸と地緯糸にそれぞれガーゼ織りを施して第１のガーゼタオル生地と第２のガーゼタオル生地を織布し、これら第１のガーゼタオル生地と第２のガーゼタオル生地を表裏に選択的に交錯させることにより第２模様を形成してなる。
【００１１】
パイル・ガーゼ多重織物は、第１生地体が、第１パイル経糸と第２パイル経糸が異なる色糸であり、これら第１パイル経糸と第２パイル経糸により第１模様を色柄模様として形成した毛違いパイル生地であってもよい。パイル・ガーゼ多重織物は、第２生地体が、それぞれ色違いの地経糸と地緯糸により織布した第１のガーゼ生地と第２のガーゼ生地を表裏に選択的に交錯させることにより色柄模様の第２模様を形成した二重ガーゼ生地であってもよい。
【００１２】
パイル・ガーゼ多重織物は、第１生地体に形成される第１模様模様が、第１生地体の表面から正像として識別される。パイル・ガーゼ多重織物は、第２生地体に形成される第２模様も、第２生地体の表面から正像として識別される。
【考案の効果】
【００１３】
本考案にかかるパイル・ガーゼ多重織物は、第１面を構成するパイルタオル生地と第２面を構成する二重ガーゼタオル生地とを一体化してなり、良好な肌触り感や吸水特性或いは通気特性や乾燥特性を有するとともにほどよい厚みと重さを有して使い勝手の向上が図られる。また、パイル・ガーゼ多重織物は、表裏主面にそれぞれ正像と識別される模様を形成することが可能であり、表裏の区別を不要とした取り扱いを可能とする。さらに、パイル・ガーゼ多重織物は、表裏主面に色柄模様の模様を形成することが可能であり、高級感や識別性の向上が図られる。
【図面の簡単な説明】
【００１４】
【図１】本考案の実施の形態として示すパイル・ガーゼ多重織物の断面図である。
【図２】同両面模様タオル体の組織図である。
【考案を実施するための形態】
【００１５】
以下、本考案の実施の形態として図面に示したパイル・ガーゼ多重織物（以下、多重織物と略称する。）１について詳細に説明する。多重織物１は、例えばジャカード織機により織布される。多重織物１は、図１及び図２に示すように、毛違いパイルタオル生地からなる第１生地体２と、二重ガーゼタオル生地からなる第２生地体３と、重ね合わせ状態の第１生地体２と第２生地体３を内層において一体化する止め糸４とからなる。
【００１６】
多重織物１は、後述するように織布された原反を所定の大きさに裁断、縁止め等の適宜の仕上げ処理を施すことにより所定のタオル製品として完成される。多重織物１は、例えばタオル、おしぼり、ハンドタオル、フェイスタオル、マフラータオル、スポーツタオル或いはバスローブ等の各種のタオル製品に広く適用されることは勿論である。
【００１７】
多重織物１は、第１生地体２と第２生地体３にそれぞれの表面から正像として識別されるロゴ等の文字列や数字列からなる名入れ或いは各種の図柄や紋様等（以下、模様と総称する。）が形成される。多重織物１は、表裏主面の模様が正像として識別されることから、例えばホテル等においてリバーシブル態様で大量に使用されるタオル製品に好適に使用される。多重織物１は、利用者等に高級感を持たせるとともに当該ホテル等の識別機能が奏されるようにする。多重織物１は、使用後のクリーニング処理において表裏の区別を不要として折畳みや袋詰の作業を行うことが可能であることから、自動化の対応も可能とする。
【００１８】
多重織物１は、第１生地体２がパイルタオル生地の第１主面１Ａを構成するとともに、第２生地体３がガーゼタオル生地の第２主面１Ｂを構成する。多重織物１は、第１生地体２が、所定の間隔で配列した第１地緯糸５（５ａ〜）に対して第１パイル地経糸６と第２パイル地経糸７を交互に織り込むことによりパイルタオル生地８を織布してなる。
【００１９】
第１生地体２は、図１及び図２に示すように第１地緯糸５間に、適宜の間隔を以ってパイル緯糸１１（１１ａ〜）を同一面上に位置して配列する。第１生地体２は、パイル緯糸１１に対して第１パイル糸９と第２パイル糸１０を選択的に織り込む。第１生地体２は、パイルタオル生地８に対して第１パイル糸９と第２パイル糸１０を表裏面に浮沈させることにより、第１主面１Ａを構成する表面と内層面を構成する裏面の両面において所定のパイルを形成してなる。
【００２０】
第１生地体２は、第１パイル糸９と第２パイル糸１０に異なる色糸が用いられる。第１生地体２は、図１に示すように、所定本数のパイル緯糸１１ａ〜１１ｅを配列した第１領域１２において、第１パイル糸９が表面側に複数のパイルを連続して形成するとともに第２パイル糸１０が内面側にパイルを形成するように織り込む。第１生地体２は、パイル緯糸１１ｅを含むパイル緯糸１１ｅ〜１１ｊを配列した第２領域１３において、第１パイル糸９と第２パイル糸１０をパイルタオル生地８内に織り込む。
【００２１】
第１生地体２は、パイル緯糸１１ｊを含むパイル緯糸１１ｊ〜１１ｍを配列した第３領域１４において、第２パイル糸１０が表面側に複数のパイルを形成するとともに第１パイル糸９が内面側にパイルを形成するように織り込む。第１生地体２は、以下パイル緯糸１１に対して第１パイル糸９と第２パイル糸１０を浮沈させた織り込みを繰り返すことにより、第１主面１Ａに第１パイル糸９による第１パイル形成領域（第１領域１２）と、パイル無し領域（第２領域１３）と、第２パイル糸１０による第２パイル形成領域（第３領域１４）との組み合わせからなる所定の模様を形成する。
【００２２】
第１生地体２は、上述したように第１領域１２と第２領域１３と第３領域１４との組み合わせにより、第１主面１Ａにたとえば図形や文字等の所定の模様を構成する。第１生地体２は、この模様が第１主面１Ａにおいて正像として識別される模様として形成する。
【００２３】
多重織物１は、第２生地体３が、図１及び図２に示すようにそれぞれガーゼ織りにより織布した第１ガーゼタオル生地１５と第２ガーゼタオル生地１６を表裏に選択的に交錯させた二重ガーゼ生地からなる。第２生地体３は、上述した第１生地体２の第１地緯糸５と平行でかつそれぞれ所定の間隔で配列した甘撚りの第２地緯糸１７（１７ａ〜）と、第３地緯糸１８（１８ａ〜）を有する。第２生地体３は、第２地緯糸１７と第３地緯糸１８が上下方向にずれて互いに平行に配列される。
【００２４】
多重織物１は、第１地緯糸５に対して、第２地緯糸１７及び第３地緯糸１８がやや大きな間隔を以って配列される。多重織物１は、第１生地体２側の第１地緯糸５及びパイル緯糸１１と、第２生地体３側の第２地緯糸１７及び第３地緯糸１８を同一間隔で配列した同色糸とし、各経糸の打ち込み位置を制御することにより織布するようにしてもよい。
【００２５】
第２生地体３は、第２地緯糸１７と第３地緯糸１８に対して、１組の第１ガーゼ経糸１９及び第２ガーゼ経糸２０と、１組の第３ガーゼ経糸２１及び第４ガーゼ経糸２２を粗く交互に織り込むことにより、第１ガーゼタオル生地１５と第２ガーゼタオル生地１６を織布してなる。第２生地体３は、第１ガーゼ経糸１９〜第４ガーゼ経糸２２が、互いに異なるとともに上述した第１生地体２の第１パイル糸９と第２パイル糸１０とも異なる色糸が用いられる。
【００２６】
第２生地体３は、図１に示すように、第１ガーゼ経糸１９と第２ガーゼ経糸２０が、上述した第１領域１２に対応する所定本数の第２地緯糸１７ａ〜１７ｋに対して粗く交互に織り込まれることにより、第１領域１２の内層側の第１ガーゼタオル生地１５部位を構成する。一方、第２生地体３は、第３ガーゼ経糸２１と第４ガーゼ経糸２２が、上述した第３領域１４に対応する所定本数の第３地緯糸１８ｂ〜１８ｍに対して粗く交互に織り込まれることにより、第３領域１４の外層側の第２ガーゼタオル生地１６部位を構成する。
【００２７】
第２生地体３は、第１ガーゼ経糸１９と第２ガーゼ経糸２０が、上述した第２地緯糸１７ａ〜１７ｋに続く次の領域、すなわち第２領域１３に対応する部位では第３地緯糸１８側に交錯されて所定本数の第３地緯糸１８ｍ〜１８ｓ間において粗く交互に織り込まれて外層側の第２ガーゼタオル生地１６部位を構成する。一方、第２生地体３は、第３ガーゼ経糸２１と第４ガーゼ経糸２２が、上述した第３地緯糸１８ｂ〜１８ｍに続く次の領域、すなわち第３領域１４に対応する部位では第２地緯糸１７側に交錯されて所定本数の第２地緯糸１７ｌ〜１７ｐ間において粗く交互に織り込まれて内層側の第１ガーゼタオル生地１５部位を構成する。
【００２８】
第２生地体３は、上述したように所定本数の第２地緯糸１７と第３地緯糸１８に対して、第１ガーゼ経糸１９と、第２ガーゼ経糸２０と、第３ガーゼ経糸２１と、第４ガーゼ経糸２２を交互に交錯して織り込むことにより、第２主面１Ｂに色違い領域を交互に出現してなる所定の模様を形成する。すなわち、第２生地体３は、１組の第１ガーゼ経糸１９及び第２ガーゼ経糸２０と１組の第３ガーゼ経糸２１及び第４ガーゼ経糸２２とを、第２地緯糸１７と第３地緯糸１８に対してそれぞれ交互に交錯して織り込むことにより第１ガーゼタオル生地１５と第２ガーゼタオル生地１６とを同時に織布する。
【００２９】
第２生地体３は、表裏に選択的に交錯させた第１ガーゼタオル生地１５と第２ガーゼタオル生地１６により、これら第１ガーゼタオル生地１５と第２ガーゼタオル生地１６が表面に交互に出現することにより模様を構成する。第２生地体３は、この模様が第２主面１Ｂにおいて正像として識別される模様として形成する。
【００３０】
多重織物１は、上述した第１生地体２と第２生地体３が、図１に示すように内層において止め糸４により一体化されてなる。止め糸４は、所定本数の間隔を以って第１生地体２側の第１地緯糸５と第２生地体３側の第３地緯糸１８間を連結する。止め糸４は、第１生地体２と第２生地体３をそれぞれの内層において第１地緯糸５と第３地緯糸１８に掛け合わされることにより、第１主面１Ａと第２主面１Ｂに直接露出することは無い。
【００３１】
多重織物１は、第１生地体２と第２生地体３を一体化した状態において、図１及び図２に示すように、第１領域１２では第１主面１Ａ側で第１パイル糸９によるパイル模様を形成するとともに第２主面１Ｂ側で第３ガーゼ経糸２１及び第４ガーゼ経糸２２による第２ガーゼタオル生地１６のガーゼ模様を形成する。多重織物１は、第２領域１３では第１主面１Ａ側で無パイル模様を形成するとともに、第２主面１Ｂ側で第１ガーゼタオル生地１５と第２ガーゼタオル生地１６が交錯したガーゼ模様を形成する。
【００３２】
多重織物１は、第３領域１４では第１主面１Ａ側で第２パイル糸１０によるパイル模様を形成するとともに第２主面１Ｂ側で第１ガーゼ経糸１９及び第２ガーゼ経糸２０による第２ガーゼタオル生地１６のガーゼ模様を形成する。多重織物１は、第１主面１Ａと第２主面１Ｂに形成した模様がそれぞれ正像として識別されることにより、いわゆるリバーシブル態様で使用することが可能である。
【００３３】
図２は、上述した多重織物１の組織図であり、図１に示す第１領域１２乃至第３領域１４における第１生地体２側のパイル緯糸１１に対する第１パイル糸９と第２パイル糸１０のピック状態を示す。また、同図は、第１領域１２乃至第３領域１４における第２生地体３側の第２地緯糸１７に対する第１ガーゼ経糸１９と第２ガーゼ経糸２０及び第３地緯糸１８に対する第３ガーゼ経糸２１と第４ガーゼ経糸２２のピック状態を示している。
【００３４】
第１パイル糸９と第２パイル糸１０は、同図においてそれぞれ×印で示すパイル緯糸１１にピックされるとともに、○印で示すパイル緯糸１１に対してフリーの状態とされる。第１ガーゼ経糸１９と第２ガーゼ経糸２０は、それぞれ×印で示す第２地緯糸１７にピックされるとともに、○印で示す第３地緯糸１８に対してフリーの状態とされる。第３ガーゼ経糸２１と第４ガーゼ経糸２２も、それぞれ×印で示す第２地緯糸１７にピックされるとともに、○印で示す第３地緯糸１８に対してフリーの状態とされる。
【００３５】
多重織物１は、上述したようにパイルタオル生地からなる第１生地体２と、ガーゼ生地からなる第２生地体３の２層構造を基本構成とすることから、従来の多層構造のタオル生地体と比較して良好な肌触り感や吸水特性或いは通気特性や乾燥特性を有しかつほどよい厚みと重さで使い勝手の向上が図られる。また、多重織物１は、表裏主面にそれぞれ正像として識別される模様を形成するとともに、これらを色柄模様として形成することが可能であり、高級感や識別性の向上が図られる。
【００３６】
多重織物１は、上述したように第１主面１Ａのパイル模様と第２主面１Ｂのガーゼ模様を第１領域１２乃至第３領域１４に相対して形成するようにしたが、かかる構成に限定されないことは勿論である。多重織物１は、パイル模様とガーゼ模様を第１生地体２側と第２生地体３側にそれぞれ独立して形成することから、適宜の位置に適宜の模様を以って形成することが可能である。
【００３７】
なお、本考案は、上述した実施の形態として示した多重織物１に限定されず、実用新案登録請求の範囲に記載した各構成についてその技術範囲を逸脱しない範囲で適宜変更、展開されることは勿論である。
【符号の説明】
【００３８】
１  多重織物（パイル・ガーゼ多重織物）、１Ａ  第１主面、１Ｂ  第２主面、２  第１生地体、３  第２生地体、４  止め糸、５  第１地緯糸、６  第１パイル地経糸、７  第２パイル地経糸、８  パイルタオル生地、９  第１パイル糸、１０  第２パイル糸、１１  パイル緯糸、１２  第１領域、１３  第２領域、１４  第３領域、１５  第１ガーゼタオル生地、１６  第２ガーゼタオル生地、１７  第２地緯糸、１８  第３地緯糸、１９  第１ガーゼ経糸、２０  第２ガーゼ経糸、２１  第３ガーゼ経糸、２２  第４ガーゼ経糸
【図１】
0003167663.tif 000003
【図２】
0003167663.tif 000004